(57)【要約】【課題】乳幼児でも口元へ運びやすく、使い勝手の良好な飲食用具を提供する。【解決手段】スプーン１は、食品を保持する先端部２と、その先端部２に連設される柄部３とからなり、柄部３は、先端部２を任意の方向に向ける折り曲げが可能で、且つ当該折り曲げ状態が保持可能な可撓性を有している。【選択図】図３
0003122734.tif 000002
【実用新案登録請求の範囲】
【請求項１】
食品を保持する先端部と、その先端部に連設される柄部とからなる飲食用具であって、  前記柄部は、前記先端部を任意の方向に向ける折り曲げが可能で、且つ当該折り曲げ状態が保持可能な可撓性を有することを特徴とする飲食用具。
【請求項２】
柄部は、可撓性を有する心材の周囲に、弾性部材を外装して形成される請求項１に記載の飲食用具。
【請求項３】
心材はチタン製である請求項２に記載の飲食用具。
【請求項４】
先端部と心材とは、前記先端部に連設されて外面に凹凸を有する連結部に前記心材が差し込まれることで接続され、弾性部材は、前記連結部の外周にも外装されて前記先端部と一体化される請求項２又は３に記載の飲食用具。
【請求項５】
柄部における先端部と反対側の端部に、前記柄部からの手の滑りを防ぐストッパ部を設けた請求項１乃至４の何れかに記載の飲食用具。
【考案の詳細な説明】
【技術分野】
【０００１】
本考案は、スプーンやフォーク等の飲食用具に関するものである。
【背景技術】
【０００２】
従来より、例えばスプーン等の飲食用具は、食品を保持する凹面状の先端部と、その先端部に連設される直線状の柄部とからなるものが一般的に知られている。
【考案の開示】
【考案が解決しようとする課題】
【０００３】
しかしながら、従来の飲食用具では、柄部が直線状なことから、乳幼児が使用する場合、柄部の握り方が必ずしも正しくないこともあり、握り方によっては口元へ運びにくいという問題がある。また、フィーディングスプーンとして使用する場合にも、同様の問題がある。
【０００４】
そこで、本考案は、上記課題に鑑みなされたものであって、乳幼児でも口元へ運びやすく、使い勝手の良好な飲食用具を提供しようとするものである。
【課題を解決するための手段】
【０００５】
上記目的を達成するために、本考案のうち請求項１に記載の考案は、食品を保持する先端部と、その先端部に連設される柄部とからなる飲食用具であって、前記柄部は、前記先端部を任意の方向に向ける折り曲げが可能で、且つ当該折り曲げ状態が保持可能な可撓性を有することを特徴とする。
請求項２に記載の考案は、請求項１の目的に加えて、より握りやすくて使いやすい柄部とするために、柄部は、可撓性を有する心材の周囲に、弾性部材を外装して形成されることを特徴とする。
請求項３に記載の考案は、請求項２の目的に加えて、良好な可撓性を有する心材を得るために、心材はチタン製であることを特徴とする。
請求項４に記載の考案は、請求項２又は３の目的に加えて、先端部と心材及び弾性部材との一体性を高めるために、先端部と心材とは、前記先端部に連設されて外面に凹凸を有する連結部に前記心材が差し込まれることで接続され、弾性部材は、前記連結部の外周にも外装されて前記先端部と一体化されることを特徴とする。
請求項５に記載の考案は、請求項１乃至４の何れかの目的に加えて、より使い勝手を高めるために、柄部における先端部と反対側の端部に、前記柄部からの手の滑りを防ぐストッパ部を設けたことを特徴とする。
【考案の効果】
【０００６】
本考案によれば、柄部を折り曲げ可能としたことで、飲食用具の先端部を口元へ運びやすい角度に調節でき、乳幼児でも口元へ運びやすくなって使い勝手に優れる。そして、フィーディングスプ−ンとして使用する場合にも、同様に口元へ運びやすい角度に調節し使用できる。また、利き手を気にする必要がない。
請求項２の考案によれば、請求項１の効果に加えて、柄部の外周を弾性部材で覆うことによって適度に太いので、握りやすく、且つ滑りにくくなっている。また、柄部が折り曲げを繰り返すことで心材が折れたとしても、弾性部材で覆われていることから、折れた心材が露出することもなく、安全である。
請求項３の考案によれば、請求項２の効果に加えて、心材をチタン製としたことで、良好な可撓性を有している。また、靱性が高く折り曲げを繰り返しても折れにくい。
請求項４の考案によれば、請求項２又は３の効果に加えて、先端部と心材及び弾性部材との一体性が良好となり、折り曲げを繰り返しても外れにくい。
請求項５の考案によれば、請求項１乃至４の何れかの効果に加えて、ストッパ部によって手に残りやすく落ちにくくなり、より使い勝手が良好となる。
【考案を実施するための最良の形態】
【０００７】
以下、本考案の一実施形態について図面を基に説明する。
【０００８】
図１は、飲食用具の一例であるスプーン１の外観を示した斜視説明図であり、図２は、スプーン１の弾性部材を外した状態の斜視説明図である。
スプーン１は、食品を保持する先端部２と、その先端部に連設される柄部３とからなっている。
【０００９】
まず、先端部２は、上面が凹面となる周知の形状を有し、柄部３側には、外面に凹設された溝によって外面に凹凸が形成される連結部２ａが突設されている。
次に、柄部３は、心材４と、先端部２の反対側に位置する終端部５と、心材４の周囲に外装される弾性部材６とから形成される。終端部５の先端部２側にも、外面に凹設された溝によって外面に凹凸が形成される連結部５ａが突設されている。また、終端部５における連結部５ａと逆側には、ストッパ部として、柄部３よりも大径で球状のエンドストッパ５ｂが一体成形されている。
【００１０】
心材４は、任意の折り曲げが可能で、且つ当該折り曲げ状態が保持可能な可撓性を有するチタン製の棒状体で、先端部２の連結部２ａと、終端部５の連結部５ａとの互いの対向面に形成された挿入孔に両端を夫々挿入することで、先端部２と終端部５とを連結するものである。また、弾性部材６は、エラストマー製で、心材４の周囲全体から連結部２ａと連結部５ａとの外周に跨って先端部２と終端部５と連続状に外装されて、心材４と共に先端部２と終端部５との連結を図っている。
【００１１】
以上の如く構成されたスプーン１は、心材４の可撓性により、例えば図３に示すように、柄部３を左右方向等に折り曲げることで、先端部２を任意の方向に向けた状態を保持することができる。よって、握り方が悪い乳幼児でも先端部２をスムーズに口元へ運ぶことができる。また、大人が横から乳幼児に食事をさせる場合や、介護者が老人等の被介護者に横から食事をさせる場合等であっても、先端部２を楽に口元へ運ぶことができる。
【００１２】
このように、上記形態のスプーン１によれば、柄部３は、先端部２を任意の方向に向ける折り曲げが可能で、且つ当該折り曲げ状態が保持可能な可撓性を有することで、先端部２を口元へ運びやすい角度に調節でき、乳幼児でも口元へ運びやすくなって使い勝手に優れる。そして、フィーディングスプ−ンとして使用する場合にも、同様に口元へ運びやすい角度に調節し使用できる。また、利き手を気にする必要がない。
特にここでは、柄部３を、可撓性を有する心材４の周囲に弾性部材６を外装して形成しているので、柄部３が適度に太くなり、握りやすく、且つ滑りにくくなっている。また、柄部３が折り曲げを繰り返すことで心材４が折れたとしても、弾性部材６で覆われていることから、折れた心材４が露出することもなく、安全である。
【００１３】
また、心材４をチタン製としたことで、良好な可撓性を有して靱性も高く、折り曲げを繰り返しても折れにくくなっている。
さらに、先端部２と心材４とは、先端部２に連設されて外面に凹凸を有する連結部２ａに心材４が差し込まれることで接続され、弾性部材６は、連結部２ａの外周にも外装されて先端部２と一体化されることから、先端部２と心材４及び弾性部材６との一体性が良好となり、折り曲げを繰り返しても外れにくい。
加えて、終端部５に、柄部３からの手の滑りを防ぐエンドストッパ５ｂを設けたことで、手に残りやすく落ちにくくなり、より使い勝手が良好となる。
【００１４】
なお、本考案の飲食用具に係る構成は、上記実施形態の態様に何ら限定されるものではなく、各部材の形状、素材、大きさ、及び数等に係る構成を本考案の趣旨を逸脱しない範囲で、必要に応じて適宜変更することができる。
【００１５】
たとえば、上記実施形態では、飲食用具としてスプーンを例示しているが、図４のように先端部２がフォーク形状となるフォーク７であっても、上記スプーン１と同様の作用効果が得られる。
その他、心材は、チタン製のみでなく、可撓性を有するものであれば他の材質に変更しても良いし、横断面形状や太さ等は任意に代えても差し支えない。また、終端部をなくして心材と弾性部材のみで柄部を構成してもよいし、弾性部材もなくして可撓性を有するチタン等の材料のみで柄部を構成してもよい。
【００１６】
また、連結部も、凹凸がない棒体に変更する等の設計変更は勿論、連結部をなくして心材を直接先端部や終端部に差し込む形態も採用可能である。
さらに、ストッパ部は、柄部よりも太いエンドストッパに限らず、手に引っかかる形状であれば柄部の端部に突設した突起等の他の形状に変更しても良いし、なくしても差し支えない。
【図面の簡単な説明】
【００１７】
【図１】スプーンの外観を示した斜視説明図である。
【図２】スプーンの柄部内を示した斜視説明図である。
【図３】スプーンを左右に折り曲げた状態の説明図である。
【図４】変更例であるフォークの外観を示した斜視説明図である。
【符号の説明】
【００１８】
１・・スプーン、２・・先端部、２ａ・・連結部、３・・柄部、４・・心材、５・・終端部、５ａ・・連結部、５ｂ・・エンドストッパ、６・・弾性部材、７・・フォーク。
【図１】
0003122734.tif 000003
【図２】
0003122734.tif 000004
【図３】
0003122734.tif 000005
【図４】
0003122734.tif 000006